【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
光を照射することによって硬化するインクを吐出する記録ヘッドと、 
記録媒体上の前記インクを硬化させるための光を照射する光源と、 
前記光源が前記記録媒体上の前記インクを硬化させるために光を照射した後、前記インクを加熱する第１の加熱手段と、 
前記第１の加熱手段による前記インクの加熱の前に、前記記録媒体を加熱する第３の加熱手段と、
前記光源が前記記録媒体上の前記インクを硬化させるために光を照射した後、前記記録媒体を加圧する加圧手段と、 
前記記録媒体上の任意の領域に対する最後のインク吐出から第１の所定時間経過後に、第１の加熱手段による前記インクへの加熱を開始し、前記インクの被加熱時間を第２の所  定時間となるように制御する制御手段と
を有することを特徴とする画像記録装置。
【請求項２】
光を照射することによって硬化するインクを吐出する記録ヘッドと、 
記録媒体上の前記インクを硬化させるための光を照射する光源と、
前記光源が前記記録媒体上の前記インクを硬化させるために光を照射した後、前記インクを加熱する第１の加熱手段と、
前記第１の加熱手段により加熱された後、前記インクを加熱する第２の加熱手段と、
前記光源が前記記録媒体上の前記インクを硬化させるために光を照射した後、前記記録媒体を加圧する加圧手段と、
前記記録媒体上の任意の領域に対する最後のインク吐出から第１の所定時間経過後に、第１の加熱手段による前記インクへの加熱を開始し、前記インクの被加熱時間を第２の所定時間となるように制御する制御手段と
を有することを特徴とする画像記録装置。
【請求項３】
前記第１の所定時間は、０．１秒〜１２０秒の範囲で設定されていることを特徴とする請求項１もしくは２に記載の画像記録装置。
【請求項４】
前記第２の所定時間は、０．１秒〜１０秒の範囲で設定されていることを特徴とする請求項１〜３のいずれか一項に記載の画像記録装置。
【請求項５】
前記制御手段は、使用する記録媒体に応じて、前記記録媒体上の前記インクの被加熱量を制御することを特徴とする請求項１〜４のいずれか一項に記載の画像記録装置。
【請求項６】
前記制御手段は、使用する記録媒体に応じて、前記第２の所定時間を制御することを特徴とする請求項５に記載の画像記録装置。
【請求項７】
前記制御手段は、使用する記録媒体に応じて、前記第１の所定時間を制御することを特徴とする請求項１〜６のいずれか一項に記載の画像記録装置。
【請求項８】
前記制御手段は、記録条件に応じて、前記記録媒体上の前記インクの被加熱量を制御することを特徴とする請求項１〜７のいずれか一項に記載の画像記録装置。
【請求項９】
前記制御手段は、記録条件に応じて、前記第２の所定時間を制御することを特徴とする請求項８に記載の画像記録装置。
【請求項１０】
前記制御手段は、記録条件に応じて、前記第１の所定時間を制御することを特徴とする請求項１〜９のいずれか一項に記載の画像記録装置。
【請求項１１】
前記加圧手段は、前記加熱手段をと兼用されていることを特徴とする請求項１〜１０のいずれか一項に記載の画像記録装置。
【請求項１２】
前記第１の加熱手段による加熱工程と、前記加圧手段による加圧工程とは重複していることを特徴とする請求項１〜１０のいずれか一項に記載の画像記録装置。
【請求項１３】
前記記録媒体と前記第１の加熱手段とを相対的に移動させる移動手段を設けたことを特徴とする請求項１〜１２のいずれか一項に記載の画像記録装置。
【請求項１４】
前記加圧手段が一対のドラムで構成され、当該ドラムにより前記記録媒体が搬送されることを特徴とする請求項１３に記載の画像記録装置。
【請求項１５】
前記加圧手段が互いに接触するドラムとベルトとで構成され、当該ドラムおよびベルトにより前記記録媒体が搬送されることを特徴とする請求項１３に記載の画像記録装置。
【請求項１６】
前記加圧手段が互いに対向する一対のベルトで構成され、当該ベルトにより前記記録媒体が搬送されることを特徴とする請求項１３に記載の画像記録装置。
【手続補正２】
【補正対象書類名】明細書
【補正対象項目名】発明の名称
【補正方法】変更
【補正の内容】
【発明の名称】画像記録装置
【手続補正３】
【補正対象書類名】明細書
【補正対象項目名】０００１
【補正方法】変更
【補正の内容】
【０００１】
本発明は、光硬化型インクを吐出して画像を形成する画像記録装置に関する。
【手続補正４】
【補正対象書類名】明細書
【補正対象項目名】０００９
【補正方法】変更
【補正の内容】
【０００９】
そこで、本発明は上述した実情に鑑みてなされたものであり、溶剤系、特に水を含有する活性エネルギー線硬化性インクを用いるインクジェット式記録装置で、高生産性を実現することが可能であり、かつ、高速印字で生じる可能性のあるしわや搬送トラブルのなく画像記録することを可能にする画像記録装置を提供することを目的としている。   
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
以上の課題を解決するため、請求項１に記載した画像記録装置は、
光を照射することによって硬化するインクを吐出する記録ヘッドと、 
記録媒体上の前記インクを硬化させるための光を照射する光源と、 
前記光源が前記記録媒体上の前記インクを硬化させるために光を照射した後、前記インクを加熱する第１の加熱手段と、 
前記第１の加熱手段による前記インクの加熱の前に、前記記録媒体を加熱する第３の加熱手段と、
前記光源が前記記録媒体上の前記インクを硬化させるために光を照射した後、前記記録媒体を加圧する加圧手段と、 
前記記録媒体上の任意の領域に対する最後のインク吐出から第１の所定時間経過後に、第１の加熱手段による前記インクへの加熱を開始し、前記インクの被加熱時間を第２の所定時間となるように制御する制御手段と
を有することを特徴としている。
請求項２に記載の画像記録装置は、光を照射することによって硬化するインクを吐出する記録ヘッドと、 
記録媒体上の前記インクを硬化させるための光を照射する光源と、
前記光源が前記記録媒体上の前記インクを硬化させるために光を照射した後、前記インクを加熱する第１の加熱手段と、
前記第１の加熱手段により加熱された後、前記インクを加熱する第２の加熱手段と、
前記光源が前記記録媒体上の前記インクを硬化させるために光を照射した後、前記記録媒体を加圧する加圧手段と、
前記記録媒体上の任意の領域に対する最後のインク吐出から第１の所定時間経過後に、第１の加熱手段による前記インクへの加熱を開始し、前記インクの被加熱時間を第２の所定時間となるように制御する制御手段と
を有することを特徴としている。
【手続補正２０】
【補正対象書類名】明細書
【補正対象項目名】００２５
【補正方法】変更
【補正の内容】
【００２５】
請求項１，２に記載の発明によれば、記録ヘッドの記録領域に配置された記録媒体に、光硬化型のインクが記録ヘッドから吐出され、光源からの光照射により硬化する。こうして光照射を受けた記録媒体は、第１の加熱手段により記録媒体が加熱処理され、加圧手段により当該記録媒体が加圧処理される。     
【手続補正２１】
【補正対象書類名】明細書
【補正対象項目名】００２７
【補正方法】変更
【補正の内容】
【００２７】
このように、記録媒体に吐出されたインクを、光照射後の加熱、加圧処理を所定のタイミングで行うことにより短時間に効果的にインクの硬化および乾燥することができる。したがって、インクが浸透しにくく光照射によっても完全に乾燥しにくいような記録媒体であっても、短時間で印刷を完了させることができるため、生産性が向上する。また、このような高速印字で生じる虞のある記録媒体上のしわの発生を抑えることができ、記録媒体の搬送不良が生じるような虞も低減することができる。
また、請求項１に記載の発明によれば、熱容量の大きな比較的大型の記録媒体であっても、第１の加熱手段による加熱処理に先立って、予め加熱しておくことで、第１の加熱手段による加熱処理の効率を高めることができ、このような記録媒体であっても高速印字を実現することが可能になる。
また、請求項２に記載の発明によれば、第１の加熱手段により万が一、記録媒体上に吐出されたインクの充分な乾燥を行うことができなかった場合に、第２の加熱手段により完全に乾燥させることが可能になる。
【手続補正２２】
【補正対象書類名】明細書
【補正対象項目名】００２８
【補正方法】変更
【補正の内容】
【００２８】
請求項３に記載の発明は、前記第１の所定時間は、０．１秒〜１２０秒の範囲で設定されていることを特徴としている。
請求項４に記載の発明は、前記第２の所定時間は、０．１秒〜１０秒の範囲で設定されていることを特徴としている。
請求項３および４に記載の発明によれば、前記第１の所定時間および第２の所定時間を具体的に設定することができる。   
【手続補正２３】
【補正対象書類名】明細書
【補正対象項目名】００２９
【補正方法】変更
【補正の内容】
【００２９】
請求項５に記載の発明は、前記制御手段は、使用する記録媒体に応じて、前記記録媒体上の前記インクの被加熱量を制御することを特徴としている。
請求項６に記載の発明は、前記制御手段は、使用する記録媒体に応じて、前記第２の所定時間を制御することを特徴としている。
請求項７に記載の発明は、前記制御手段は、使用する記録媒体に応じて、前記第１の所定時間を制御することを特徴としている。
【手続補正２４】
【補正対象書類名】明細書
【補正対象項目名】００３０
【補正方法】変更
【補正の内容】
【００３０】
請求項５，６，７に記載の発明によれば、使用する記録媒体に応じて、すなわち記録媒体の種類、例えば材質、厚さ、表面の面質（網目、光沢など）に基づいて、加熱手段による加熱条件および／または加圧手段による加圧条件、例えば加熱時間、加熱温度および加圧時間などを制御することが可能になる。これにより、常に最適な加熱および／または加圧条件にてインク吐出および光照射処理後の記録媒体の加熱および／または加圧処理を行うことが可能になる。
【手続補正２５】
【補正対象書類名】明細書
【補正対象項目名】００３１
【補正方法】変更
【補正の内容】
【００３１】
請求項８に記載の発明は、前記制御手段は、記録条件に応じて、前記記録媒体上の前記インクの被加熱量を制御することを特徴としている。
請求項９に記載の発明は、前記制御手段は、記録条件に応じて、前記第２の所定時間を制御することを特徴としている。
請求項１０に記載の発明は、前記制御手段は、記録条件に応じて、前記第１の所定時間を制御することを特徴としている。 
【手続補正２６】
【補正対象書類名】明細書
【補正対象項目名】００３２
【補正方法】変更
【補正の内容】
【００３２】
請求項８，９，１０に記載の発明によれば、記録条件に応じて、すなわち記録条件、例えばインクの種類、インク吐出時間、インク吐出量などに基づいて、加熱手段による加熱条件および／または加圧手段による加圧条件、例えば加熱時間、加熱温度および加圧時間などを制御することが可能になる。これにより、常に最適な加熱および／または加圧条件にてインク吐出および光照射処理後の記録媒体の加熱および／または加圧処理を行うことが可能になる。
【手続補正２７】
【補正対象書類名】明細書
【補正対象項目名】００３３
【補正方法】変更
【補正の内容】
【００３３】
請求項１１に記載の発明は、前記第１の加圧手段は、前記加熱手段をと兼用されていることを特徴としている。
請求項１１に記載の発明によれば、少ない部材数にて、記録媒体の加熱処理および加圧処理を行うことが可能になる。   
【手続補正２８】
【補正対象書類名】明細書
【補正対象項目名】００３４
【補正方法】変更
【補正の内容】
【００３４】
請求項１２に記載の発明は、前記第１の加熱手段による加熱工程と、前記加圧手段による加圧工程とは重複していることを特徴としている。
請求項１２に記載の発明によれば、記録媒体の加熱処理および加圧処理を同時に行うことが可能になる。これにより、記録媒体上でのインクの乾燥および定着を同時に行うことが可能になるため、より効率よくインクの硬化を行うことが可能になる。
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】変更
【補正の内容】
【００３７】
請求項１３に記載の発明は、前記記録媒体と前記第１の加熱手段とを相対的に移動させる移動手段を設けたことを特徴としている。
請求項１３に記載の発明によれば、記録媒体または第１の加熱手段の搬送を行うようにすることで、加熱処理を効率よく行うことができるようになる。   
【手続補正３２】
【補正対象書類名】明細書
【補正対象項目名】００３８
【補正方法】変更
【補正の内容】
【００３８】
請求項１４に記載の発明は、前記加圧手段が一対のドラムで構成され、当該ドラムにより前記記録媒体が搬送されることを特徴としている。
請求項１４に記載の発明は、記録媒体の加熱処理および加圧処理を同時に行うことが可能になる。これにより、記録媒体上でのインクの乾燥および定着を同時に行うことが可能になるため、より効率よくインクの硬化を行うことが可能になる。   
【手続補正３３】
【補正対象書類名】明細書
【補正対象項目名】００３９
【補正方法】変更
【補正の内容】
【００３９】
請求項１５に記載の発明は、前記加圧手段が互いに接触するドラムとベルトとで構成され、当該ドラムおよびベルトにより前記記録媒体が搬送されることを特徴としている。
請求項１５に記載の発明によれば、記録媒体の加熱処理および加圧処理を同時に行うことが可能になる。これにより、記録媒体上でのインクの乾燥および定着を同時に行うことが可能になるため、より効率よくインクの硬化を行うことが可能になる。   
【手続補正３４】
【補正対象書類名】明細書
【補正対象項目名】００４０
【補正方法】変更
【補正の内容】
【００４０】
請求項１６に記載の発明は、前記加圧手段が互いに対向する一対のベルトで構成され、当該ベルトにより前記記録媒体が搬送されることを特徴としている。
請求項１６に記載の発明によれば、記録媒体の加熱処理および加圧処理を同時に行うことが可能になる。これにより、記録媒体上でのインクの乾燥および定着を同時に行うことが可能になるため、より効率よくインクの硬化を行うことが可能になる。
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】変更
【補正の内容】
【００６２】
請求項１，２に記載の発明によれば、記録媒体に吐出されたインクを、光照射後の加熱、加圧処理を所定のタイミングで行うことにより短時間に効果的にインクの硬化および乾燥することができる。したがって、インクが浸透しにくく光照射によっても完全に乾燥しにくいような記録媒体であっても、短時間で印刷を完了させることができるため、生産性が向上する。また、このような高速印字で生じる虞のある記録媒体上のしわの発生を抑えることができ、記録媒体の搬送不良が生じるような虞も低減することができる。
また、請求項１に記載の発明によれば、熱容量の大きな比較的大型の記録媒体であっても、第１の加熱手段による加熱処理に先立って、予め加熱しておくことで、第１の加熱手段による加熱処理の効率を高めることができ、このような記録媒体であっても高速印字を実現することが可能になる。
また、請求項２に記載の発明によれば、第１の加熱手段により万が一、記録媒体上に吐出されたインクの充分な乾燥を行うことができなかった場合に、第２の加熱手段により完全に乾燥させることが可能になる。
【手続補正５７】
【補正対象書類名】明細書
【補正対象項目名】００６３
【補正方法】変更
【補正の内容】
【００６３】
請求項３および４に記載の発明によれば、前記第１の所定時間および第２の所定時間を具体的に設定することができる。     
【手続補正５８】
【補正対象書類名】明細書
【補正対象項目名】００６４
【補正方法】変更
【補正の内容】
【００６４】
請求項５，６，７に記載の発明によれば、使用する記録媒体に応じて、すなわち記録媒体の種類、例えば材質、厚さ、表面の面質（網目、光沢など）に基づいて、加熱手段による加熱条件および／または加圧手段による加圧条件、例えば加熱時間、加熱温度および加圧時間などを制御することが可能になる。これにより、常に最適な加熱および／または加圧条件にてインク吐出および光照射処理後の記録媒体の加熱および／または加圧処理を行うことが可能になる。
【手続補正５９】
【補正対象書類名】明細書
【補正対象項目名】００６５
【補正方法】変更
【補正の内容】
【００６５】
請求項８，９，１０に記載の発明によれば、記録条件に応じて、すなわち記録条件、例えばインクの種類、インク吐出時間、インク吐出量などに基づいて、加熱手段による加熱条件および／または加圧手段による加圧条件、例えば加熱時間、加熱温度および加圧時間などを制御することが可能になる。これにより、常に最適な加熱および／または加圧条件にてインク吐出および光照射処理後の記録媒体の加熱および／または加圧処理を行うことが可能になる。
【手続補正６０】
【補正対象書類名】明細書
【補正対象項目名】００６６
【補正方法】変更
【補正の内容】
【００６６】
請求項１１に記載の発明によれば、少ない部材数にて、記録媒体の加熱処理および加圧処理を行うことが可能になる。     
【手続補正６１】
【補正対象書類名】明細書
【補正対象項目名】００６７
【補正方法】変更
【補正の内容】
【００６７】
請求項１２に記載の発明によれば、記録媒体の加熱処理および加圧処理を同時に行うことが可能になる。これにより、記録媒体上でのインクの乾燥および定着を同時に行うことが可能になるため、より効率よくインクの硬化を行うことが可能になる。   
【手続補正６２】
【補正対象書類名】明細書
【補正対象項目名】００６８
【補正方法】削除
【補正の内容】
【手続補正６３】
【補正対象書類名】明細書
【補正対象項目名】００６９
【補正方法】削除
【補正の内容】
【手続補正６４】
【補正対象書類名】明細書
【補正対象項目名】００７０
【補正方法】変更
【補正の内容】
【００７０】
請求項１３に記載の発明によれば、記録媒体または第１の加熱手段の搬送を行うようにすることで、加熱処理を効率よく行うことができるようになる。     
【手続補正６５】
【補正対象書類名】明細書
【補正対象項目名】００７１
【補正方法】変更
【補正の内容】
【００７１】
請求項１４に記載の発明は、記録媒体の加熱処理および加圧処理を同時に行うことが可能になる。これにより、記録媒体上でのインクの乾燥および定着を同時に行うことが可能になるため、より効率よくインクの硬化を行うことが可能になる。     
【手続補正６６】
【補正対象書類名】明細書
【補正対象項目名】００７２
【補正方法】変更
【補正の内容】
【００７２】
請求項１５に記載の発明によれば、記録媒体の加熱処理および加圧処理を同時に行うことが可能になる。これにより、記録媒体上でのインクの乾燥および定着を同時に行うことが可能になるため、より効率よくインクの硬化を行うことが可能になる。
【手続補正６７】
【補正対象書類名】明細書
【補正対象項目名】００７３
【補正方法】変更
【補正の内容】
【００７３】
請求項１６に記載の発明によれば、記録媒体の加熱処理および加圧処理を同時に行うことが可能になる。これにより、記録媒体上でのインクの乾燥および定着を同時に行うことが可能になるため、より効率よくインクの硬化を行うことが可能になる。   
【手続補正６８】
【補正対象書類名】明細書
【補正対象項目名】００７４
【補正方法】削除
【補正の内容】
【手続補正６９】
【補正対象書類名】明細書
【補正対象項目名】００７５
【補正方法】削除
【補正の内容】
【手続補正７０】
【補正対象書類名】明細書
【補正対象項目名】００７６
【補正方法】削除
【補正の内容】
【手続補正７１】
【補正対象書類名】明細書
【補正対象項目名】００７７
【補正方法】削除
【補正の内容】
【手続補正７２】
【補正対象書類名】明細書
【補正対象項目名】００７８
【補正方法】削除
【補正の内容】
【手続補正７３】
【補正対象書類名】明細書
【補正対象項目名】００７９
【補正方法】削除
【補正の内容】
【手続補正７４】
【補正対象書類名】明細書
【補正対象項目名】００８０
【補正方法】削除
【補正の内容】
【手続補正７５】
【補正対象書類名】明細書
【補正対象項目名】００８１
【補正方法】削除
【補正の内容】